(57)【特許請求の範囲】
【請求項１】
第１の筐体と、当該第１の筐体と開状態と閉状態とを形成可能に連結された第２の筐体と、第１の表示部と、第２の表示部とを有し、
テレビ放送を受信してテレビ画像データを得る画像復号部と、
前記第１と第２の表示部のいずれか一方に前記テレビ画像データを表示する画像表示制御部と、
前記テレビ画像データを表示している状態で前記第１と第２の筐体との開閉状態の変化が生じた際に、
前記テレビ画像データを録画していない場合には、前記テレビ画像データの表示先を前記第１と第２の表示部のいずれか一方から他方に切替えさせ、
前記テレビ画像データを録画している場合には、前記第１と第２の表示部のいずれか一方から他方への切替えを行わないよう前記画像表示制御部を制御する主制御部と、
を備えることを特徴とする携帯端末装置。
【請求項２】
前記画像表示制御部は、
前記テレビ画像データと前記主制御部により生成される生成画像データとを取得する画像入力取得部と、
前記第１の表示部または前記第２の表示部に表示する画像を前記画像入力取得部から取得して一時記憶する画像記憶部と、
前記画像記憶部に一時記憶された画像を前記第１の表示部または前記第２の表示部に出力する描画制御部と、を含み、
前記描画制御部は、前記録画している間には、前記画像記憶部に一時記憶されたテレビ画像データを読み出して、前記主制御部へ転送する
ことを特徴とする請求項１に記載の携帯端末装置。
【請求項３】
前記画像入力取得部は、前記録画している間には、前記テレビ画像データのみを前記画像記憶部に供給する
ことを特徴とする請求項２に記載の携帯端末装置。
【請求項４】
前記第１の表示部は、前記閉状態において前記第１と第２の筐体にて隠れる位置に配され、
前記第２の表示部は、前記閉状態において前記第１と第２の筐体にて隠れない位置に配されている
ことを特徴とする請求項１から３のいずれか一項に記載の携帯端末装置。
【請求項５】
前記主制御部は、前記閉状態かつ前記録画しているときには、前記第１の表示部を省電力状態に設定する
ことを特徴とする請求項１から４のいずれか一項に記載の携帯端末装置。
【請求項６】
前記第１の表示部はバックライトを有し、
前記省電力状態とは、前記バックライトの消灯である
ことを特徴とする請求項５に記載の携帯端末装置。
【請求項７】
前記閉状態において前記第１と第２の筐体にて隠れない位置に前記第２の表示部および露出キーが設けられ、
前記主制御部は、前記露出キーが押下された際、前記録画をしていない状態にある場合には、前記第２の表示部による表示を行い、前記録画をしている状態にある場合には前記第２の表示部による表示に切り替えない
ことを特徴とする請求項１から６のいずれか一項に記載の携帯端末装置。
【請求項８】
第１の筐体と、当該第１の筐体と開状態と閉状態とを形成可能に連結された第２の筐体と、第１の表示部とを有し、
前記閉状態において前記第１と第２の筐体にて隠れない位置に設けられている第２の表示部および露出キーと、
テレビ放送を受信してテレビ画像データを得る画像復号部と、
前記第１と第２の表示部のいずれか一方に前記テレビ画像データを表示する画像表示制御部と、
前記露出キーが押下された際に、
前記テレビ画像データを録画していない場合には、前記第２の表示部による前記テレビ画像データの表示を行わせ、
前記テレビ画像データを録画している場合には、前記第２の表示部による前記テレビ画像データの表示を行わないよう前記画像表示制御部を制御する主制御部と、
を備えることを特徴とする携帯端末装置。
【発明の詳細な説明】
【技術分野】
【０００１】
本発明は、たとえば、開状態・閉状態を形成可能な筐体を備え、テレビ録画に対応した携帯電話などに代表された、携帯端末装置に関するものである。
【背景技術】
【０００２】
携帯電話はコンパクト化が進み、ＴＶ放送を受信するアプリケーションや、カメラによる撮影アプリケーションに対応すべく、ヒンジ機能においては軸を２つ備え、従来の折り畳み動作に加え、液晶表示装置（ＬＣＤ；Liquid Crystal Display Device）が実装された筐体が回転するような複雑な動作を行う機種が増えている。
【０００３】
また、高機能化が進み、内蔵のメモリにテレビ番組を録画することができるＴＶ録画機能を持つ機種も出現している。
今後は、地上波デジタル放送に向け、上記した機能を搭載した携帯電話が数多く登場するものと考えられる。
【０００４】
ところで、上記した折り畳み筐体をもつ携帯電話において、従来、メインとサブの２系統の表示部による表示をアプリケーションによって切り替える技術(たとえば、特許文献１参照）が知られている。
【０００５】
あるいは、ＴＶ放送にかかる映像を、携帯電話の使用状態における姿勢に依存することなく上下左右逆転させ、常に正しい向きで表示させるような表示画像の切り替え技術(たとえば、特許文献２参照）が知られている。
【特許文献１】特開２００５−３２３２４１号公報
【特許文献２】特開２００５−３５４６８９号公報
【発明の開示】
【発明が解決しようとする課題】
【０００６】
上記した折り畳み筐体で、メインとサブの２系統の表示部を備えた携帯電話において、ＴＶチューナからの映像信号をＬＣＤコントローラ経由で録画処理を行う場合、メイン表示とサブ表示で画像メモリを共有している関係上、不都合が生じる。
すなわち、録画中に筐体を閉じた場合、ＬＣＤコントローラによる描画がメイン表示からサブ表示に切替わり、このため、録画が中断されてしまう事態が生じる。
しかしながら、上記した各特許文献には録画についての開示はなく、したがってこのことを解決するための示唆は一切ない。
【０００７】
本発明の目的は、筐体が閉状態にあっても録画中であれば表示切替えを行わないように制御することで、継続して録画を行うことのできる携帯端末装置を提供することにある。
【課題を解決するための手段】
【０００８】
本発明の第１の態様の携帯端末装置は、第１の筐体と、当該第１の筐体と開状態と閉状態とを形成可能に連結された第２の筐体と、第１の表示部と、第２の表示部とを有し、テレビ放送を受信してテレビ画像データを得る画像復号部と、前記第１と第２の表示部のいずれか一方に前記テレビ画像データを表示する画像表示制御部と、前記テレビ画像データを表示している状態で前記第１と第２の筐体との開閉状態の変化が生じた際に、前記テレビ画像データを録画していない場合には、前記テレビ画像データの表示先を前記第１と第２の表示部のいずれか一方から他方に切替えさせ、前記テレビ画像データを録画している場合には、前記第１と第２の表示部のいずれか一方から他方への切替えを行わないよう前記画像表示制御部を制御する主制御部と、を備える。
【０００９】
好適には、前記画像表示制御部は、前記テレビ画像データと前記主制御部により生成される生成画像データとを取得する画像入力取得部と、前記第１の表示部または前記第２の表示部に表示する画像を前記画像入力取得部から取得して一時記憶する画像記憶部と、前記画像記憶部に一時記憶された画像を前記第1の表示部または前記第２の表示部に出力する描画制御部と、を含み、前記描画制御部は、前記録画している間には、前記画像記憶部に一時記憶されたテレビ画像データを読み出して、前記主制御部へ転送する。
【００１０】
好適には、前記画像入力取得部は、前記録画している間には、前記テレビ画像データのみを前記画像記憶部に供給する。
【００１１】
好適には、前記第１の表示部は、前記閉状態において前記第１と第２の筐体にて隠れる位置に配され、前記第２の表示部は、前記閉状態において前記第１と第２の筐体にて隠れない位置に配されている。
【００１２】
好適には、前記主制御部は、前記閉状態かつ前記録画しているときには、前記第１の表示部を省電力状態に設定する。
【００１３】
好適には、前記第１の表示部はバックライトを有し、前記省電力状態とは、前記バックライトの消灯である。
【００１４】
好適には、前記閉状態において前記第１と第２の筐体にて隠れない位置に前記第２の表示部および露出キーが設けられ、前記主制御部は、前記露出キーが押下された際、前記録画をしていない状態にある場合には、前記第２の表示部による表示を行い、前記録画をしている状態にある場合には前記第２の表示部による表示に切り替えない。
本発明の第２の態様の携帯端末装置は、第１の筐体と、当該第１の筐体と開状態と閉状態とを形成可能に連結された第２の筐体と、第１の表示部とを有し、前記閉状態において前記第１と第２の筐体にて隠れない位置に設けられている第２の表示部および露出キーと、テレビ放送を受信してテレビ画像データを得る画像復号部と、前記第１と第２の表示部のいずれか一方に前記テレビ画像データを表示する画像表示制御部と、前記露出キーが押下された際に、前記テレビ画像データを録画していない場合には、前記第２の表示部による前記テレビ画像データの表示を行わせ、前記テレビ画像データを録画している場合には、前記第２の表示部による前記テレビ画像データの表示を行わないよう前記画像表示制御部を制御する主制御部と、を備える。
【発明の効果】
【００１５】
本発明によれば、主制御部が、第１の筐体と第２の筐体が閉状態にあっても、録画中であれば表示切替えを行わないように制御することで、録画を継続して行うことができる。
【発明を実施するための最良の形態】
【００１６】
以下、本発明の実施形態を添付図面に関連付けて説明する。
【００１７】
図１は、本発明の実施の形態に係る携帯端末装置１の外観を開状態で示す正面図であり、図２は、携帯端末装置１の外観を開状態で示す視点が側方寄りの斜視図であり、図３（ａ）は携帯端末装置１の外観を閉状態で示す正面図であり、図３（ｂ）は携帯端末装置１の外観を閉状態で示す背面図である。
【００１８】
携帯端末装置１は、いわゆる折り畳み式の携帯電話機として構成されており、開状態と閉状態との間で互いに回動自在に連結された受話筐体(第１の筐体)２および送話筐体(第２の筐体)３を備えている。
受話筐体２および送話筐体３は、それぞれの端部が回動の中心となる連結部４により連結されることにより携帯端末装置１全体の筐体を形成する。
【００１９】
受話筐体２および送話筐体３は、それぞれ概ね薄型直方体に形成されており、閉状態では互いに重ね合わされ、一方の筐体側から他方の筐体側を見たときに互いの輪郭が略一致するようになっている。
【００２０】
受話筐体２は、閉状態で送話筐体３に対向する面側の正面側ケース６と、その背面側の背面側ケース７と、背面側ケース７の背面側に取り付けられるパネル８とを備えている。
受話筐体２の閉状態で送話筐体３に対向する正面Ｓ１は正面側ケース６により構成され、その反対側の背面Ｓ２は背面側ケース７およびパネル８により構成されている。
正面側ケース６、背面側ケース７およびパネル８は、たとえば非導電性の樹脂によりそれぞれ成形されている。
【００２１】
受話筐体２の正面Ｓ１には、通話用のスピーカ（不図示）の放音孔１２が開口している。受話筐体２には、正面Ｓ１に映像や文字を表示するメイン表示部１３（表示モニタ）と、背面Ｓ２に映像や文字を表示するサブ表示部１４（図３（ａ））とが設けられている。すなわち閉状態にて隠れる位置にメイン表示部１３が、閉状態にしても隠れない位置にサブ表示部１４がそれぞれ設けられている。メイン表示部１３およびサブ表示部１４は、たとえば、液晶表示装置や有機ＥＬ（Electronic Luminescence）表示装置などの表示デバイスにより構成されている。
なお、パネル８は透光性を有しており、サブ表示部１４の保護カバーを兼ねている。
さらに、パネル８の内側には背面Ｓ２側を撮影方向とするカメラ２０が配されている。
【００２２】
送話筐体３は、閉状態で受話筐体２に対向する面側の正面側ケース９と、その背面側の背面側ケース１０と、背面側ケース１０の背面側に被せられる蓋体１１とを備えている。送話筐体３の閉状態で受話筐体２に対向する正面Ｓ３は正面側ケース９により構成され、その反対側の背面Ｓ４は背面側ケース１０および蓋体１１により構成されている。
正面側ケース９、背面側ケース１０および蓋体１１は、たとえば非導電性の樹脂によりそれぞれ成形されている。
【００２３】
送話筐体３の正面Ｓ３には通話用のマイクロフォン（不図示）の集音孔１６が開口し、背面Ｓ４側では報知用スピーカ（不図示）に放音孔１７が側方へ向けて閉口している。送話筐体３には、正面Ｓ３に露出する各種キーを含む操作部１８が設けられている。
各種キーは、たとえばダイヤルキー１８ａ、カーソルキー１８ｂ、ファンクションキー１８ｃ、決定キー１８ｄである。
また、送話筐体３には、背面Ｓ２側を撮影方向とするカメラ２０、背面Ｓ４側を送受信方向とする赤外線信用の赤外線通信部２１が設けられている。
【００２４】
連結部４は、受話筐体２の端部に切り欠き部２７が、送話筐体３の端部に突出部２８が形成され、切り欠き部２７に突出部２８が嵌合されて互いに回動自在に軸支され、構成されている。
切り欠き部２７および突出部２８は、たとえば、回転軸方向（図１の紙面左右方向）の幅が受話筐体２および送話筐体３の幅の半分程度の大きさに形成され、受話筐体２および送話筐体３の幅方向の中央に形成されている。
突出部２８は、送話筐体３の正面Ｓ３から、閉状態において受話筐体２と対向する方向へ、受話筐体２の厚みと同程度の高さで突出している。
【００２５】
図４は、図１に示す本発明の実施の形態にかかわる携帯端末装置の信号処理系の構成の一例を示すブロック図である。
【００２６】
携帯端末装置１は、図４に示されるように、第１の筐体としての受話筐体２と、第２の筐体としての送話筐体３とから成り、受話筐体２と送話筐体３とは、上記したように機械的には連結部４（ヒンジ機構）を介して接続され、電気的には第１のケーブルとしてのメインケーブル４３と、第２のケーブルとしてのカメラケーブル４４とにより接続される。
【００２７】
これらメインケーブル４３、およびカメラケーブル４４は、ともに細線同軸ケーブルにより構成され、ともに切り欠き部２７から突出部２８内へ挿通するヒンジ軸受け内を通って送話筐体内と受話筐体内とを連絡している。
細線同軸ケーブルは、同軸ケーブルの中でも比較的径が小さいものであり、たとえば、直径１ｍｍ以下である。最近では、直径０．３ｍｍ以下のものも知られ、ＦＰＣに比べて耐ノイズ性が高く、配線性および屈曲性に優れている。
【００２８】
受話筐体２には、第１の表示部としてのメイン表示部１３と、第２の表示部としてのサブ表示部１４と、カメラ２０と、スピーカ５０とが実装される。
また、メイン表示部１３と、サブ表示部１４は、表示デバイスとしてＬＣＤが実装される。
【００２９】
一方、送話筐体３は、回路基板３０と、ＴＶアンテナ３１と、送受信アンテナ３５と、マイク４３とにより構成される。回路基板３０上には、ＴＶチューナ３２と、画像復号部３３と、画像表示制御部３４と、通信処理部３６と、音声処理部３７と、主制御部３８と、キー入力処理部３９、メモリ４０（主記憶部）と、スイッチ回路４１とが実装される。
【００３０】
主制御部３８は、たとえば、ＣＰＵ(不図示)により構成され、ＣＰＵがメモリ４０に記録されたプログラムを逐次読み出し実行することにより、ＴＶチューナ３２、画像復号部３３、画像表示制御部３４、通信処理部３６、音声処理部３７、キー入力処理部３９等の各種周辺ＬＳＩを制御する。
主制御部３８は、後述するように、受話筐体２と送話筐体３が開状態にあるときは画像表示制御部３４による画像表示をメイン表示部にて行わせ、閉状態を検出すると、テレビ放送の録画中を除き、画像表示制御部３４による画像の表示をメイン表示部１３からサブ表示部１４へ切り替える。
【００３１】
ＴＶチューナ３２は、ＴＶアンテナ３１を介して受信される、たとえば、地上波デジタル放送波を中間周波数信号に変換して復調し、さらに、復調して得られる信号を、映像信号成分と音声信号成分に分離し、映像復号部３３、音声処理部３７のそれぞれに供給する。音声処理部３７は、入力される音声信号成分から音声信号を生成し、メインケーブル４３経由で受話筐体２のスピーカ５０へ出力する。
【００３２】
また、画像復号部３３は、入力される映像信号成分を復号化し、共通バス１００を介して画像表示制御部３４へ出力する。
画像表示制御部路３４は、画像復号部３３により出力される復号信号を所定のフォーマットにしたがう画像データに変換し、メインケーブル４３を経由して受話筐体２のメイン表示部１３へ出力する。
【００３３】
また、画像表示制御部３４は、カメラ２０により撮影され生成される撮像データをカメラケーブル４４、共通バス１００経由で取得し、所定のフォーマットに従う画像データに変換し、メインケーブル４３経由で受話筐体２のメイン表示部１３もしくはサブ表示部１４へ出力する。
【００３４】
一方、通信処理部３６は高周波回路を含み、電波を用いた無線通信を行うために、マイク４２を介して入力され音声処理部３７で処理された音声データを変調して送受信アンテナ３５を介して送信する。通信処理部３６はまた、送受信アンテナ３５を介して受信した信号を復調して音声処理部３７経由で受話筐体２のスピーカ５０に出力する。
【００３５】
キー入力処理部３９は、操作部１８に配置された各種キーからその入力情報を取得し、主制御部３８へ引き渡す。なお、配置される各種キーの中にはＴＶ放送の録画を指示する録画キーも含まれる。また各種キーの中にはメインケーブル４３経由で受話筐体２側にも配されていてもよい。さらに側面や背面に配されるサイドキーも含まれる。
【００３６】
図５は、図４に示す画像表示制御部３４の内部構成の一例を示すブロック図である。
【００３７】
図５において、画像表示制御部３４は、画像入力取得部３４１と、描画制御部３４２と、表示画像記憶部３４３と、画像符号化部３４５と、表示制御部３４６とを有する。
【００３８】
画像入力取得部３４１は、画像復号部３３により出力される画像データ、および前記主制御部により生成される画像データを取得し、描画制御部３４２へ出力する。
【００３９】
描画制御部３４２は、表示画像記憶部３４３に対してメイン表示部１３に表示するための画像データの書き込み、あるいはサブ表示部１４へ表示するための画像データの書き込みを行う。このように表示画像記憶部３４３への書き込む画像データ、読み出す先の表示部を主制御部３８からの指示に応じて切り替えて表示を行う。
なお、キー入力によりテレビ視聴の指示がなされると、画像復号部３３からの画像データを画像入力取得部３４１より受信し、この画像データについて表示画像記憶部３４３に対してメイン表示部１３に表示するための画像データとして書き込む。そして、テレビ放送について、画像を含むデータの録画がキー入力により指示されると、表示画像記憶部３４３に書き込んだ画像データを読み出して画像符号部３４５により符号化して主制御部３８へ転送する。なお、主制御部３８ではキー入力が生じると、テレビ放送の視聴指示、録画指示などの指示の種別を判断して対応する処理を描画制御部３４２に行わせるだけではなく、録画指示の場合には画像符号化部３４５からの符号化された画像データをメモリ４０に書き込むことも行う。また、主制御部３８は録画指示を受けると録画中であることを示すフラグを同じくメモリ４０に書き込む。
【００４０】
表示制御部３４６は、テレビ放送録画中、受話筐体２と送話筐体３が閉状態にあるときに、主制御部３８による制御の下、メイン表示部１３を制御して省電力状態に設定する。
ここで、省電力状態に設定する手段として、たとえば、バックライトの消灯、あるいは照度を落とす構成を採用することが可能である。
【００４１】
図６は、本発明の実施の形態にかかわる携帯端末装置の動作を説明するためのフローチャートである。
以下、図６に示すフローチャートを参照しながら、図１〜図５に示す本発明の実施の形態にかかわる携帯端末装置の動作について詳細に説明する。
【００４２】
まず、主制御部３８は、たとえば、連結部４内部に設けられたマイクロスイッチのＯＮ／ＯＦＦにより、受話筐体２と送話筐体３の折り畳み状態、すなわち、「閉状態」にあるか、否かを検出する（ステップＳ６０１）。
ここで、受話筐体２と送話筐体３が閉状態にある場合、主制御部３８は、更に、本携帯電話が、ＴＶ放送の録画中か否かを判定する（ステップＳ６０２）。
なお、ＴＶ放送が録画中か否かは、ユーザが操作部１８を操作し、ＴＶ放送の録画を意思表示したときに、キー入力処理部３９がこれを取り込んで主制御部３８のメモリ４０におけるフラグ（不図示）をＯＮして録画機能を実行するにあたり、このフラグを参照することにより判定することができる。
【００４３】
ここで、ＴＶ放送録画中でないと判定された場合（ステップＳ６０２“ＮＯ”）、描画制御部３４２は、サブ表示部１４による表示に切替え制御を行い（ステップＳ６０７）、サブ表示部１４による表示を行う（ステップＳ６０８）。
なお、サブ表示部１４への表示は、テレビ放送を表示できるほどの能力を有さない（画面が小さい、色数が足りないなど）表示器を用いる場合には、描画制御部３４２はテレビ放送とは別に、別途主制御部３８から読み出した時計や受信電波状況や電池残量などの端末状態を示す簡易的な表示のみを画像入力取得部３４１により取得して表示画像記憶部３４３に書き込み、サブ表示部１４に表示すべき情報として出力する。
また、サブ表示部１４によるＴＶ放送の表示は、描画制御部３４２が、画像入力取得部３４１を介して取得される画像復号部３３により復号された画像データをサブ表示画像記憶部３４４へ描画し、主制御部３８による制御の下、描画制御部３４２が、表示タイミング同期してサブ表示画像記憶部３４４から画像データを読み出し、表示制御部３４６を経由してサブ表示部１４へ供給することにより実現してもよい。
【００４４】
一方、録画中であると判定された場合（ステップＳ６０２“ＹＥＳ”）、主制御部３８による制御の下、サブ表示部１４による表示に切替え制御を行うことなく、メイン表示部１３による表示制御を継続し、このことにより、録画動作を継続することができる（ステップＳ６０３）。
もし、閉状態が検出された際に録画中であるにもかかわらずメイン表示部１３による表示からサブ表示部１４による表示に切り替えるよう構成すると、次のような問題が発生する。
閉状態としたときにサブ表示部１４に端末情報を表示するよう構成している場合には、描画制御部３４２は、サブ表示部１４に表示すべき情報を別途主制御部３８から読み出して表示画像記憶部３４３に書き込まなければならないため、表示画像記憶部３４３における画像情報そのものがテレビ放送に基づく画像データから、サブ表示器における表示情報に切り替わってしまうこととなり、録画のために読み出すべきテレビ放送からの画像データが表示記憶部３４３から失われてしまい、録画が継続できなくなってしまう。
また、閉状態としたときにサブ表示部１４にテレビ放送の画面を切り替えるよう構成していた場合には、メイン表示部１３に比べて表示能力の劣るサブ表示部１４に表示するためにテレビ放送に基づく画像データに加工を行わなければならないため、描画制御部３４２における画像データの内容が加工されたものに切り替わってしまう。すなわち、閉状態検出前と閉状態検出後とで録画されるために読み出すべきテレビ放送からの画像データが異なったものとなってしまい、録画されたものを後に視聴する際に違和感を覚えることとなってしまう。
ステップＳ６０２にて録画中にはメイン表示部１３による表示を継続するよう構成することにより、表示画像記憶部３４３をメイン用サブ用で独立した記憶部を持たないような低価格の画像表示制御部でも上記したような問題を回避することができ、録画中に画面が途切れたり違和感を覚えたりすることのない、価格の安い携帯端末装置を得ることが出来る。
【００４５】
メイン表示部１３によるＴＶ放送の表示は、描画制御部３４２が、画像入力取得部３４１を介して取得される、画像復号部３３により復号された画像データをメイン表示画像記憶部３４３へ描画し、主制御部３８による制御の下、描画制御部３４２が、表示タイミング同期してメイン表示画像記憶部３４３から画像データを読み出し、表示制御部３４６を経由してメイン表示部１３へ供給することにより実現される。
ここで、メイン表示画像記憶部３４３に描画される画像データは、録画画像データとして画像符号化部３４５にも供給され、画像符号化部３４５で符号化された画像データは、録画のために主制御部３８へ供給される。
【００４６】
録画画像データは、主制御部３８による制御の下、メモリ４０に格納される。録画再生にあたり、メモリ４０から読み出される画像データは、再度、画像復号部３３により復号され、画像入力取得部３４１経由で、描画制御部３４２により、メイン表示画像記憶部３４３、あるいはサブ表示画像記憶部３４４に描画される。
【００４７】
なお、ステップＳ６０３にてメイン表示１３によるテレビ放送の画像データの表示を継続するとき、主制御部３８は、表示制御部３４６を制御してメイン表示１３のバックライトをＯＦＦにしたり、照度を落としたり等の省電力制御を行う（ステップＳ６０４）。
すなわち、描画制御部３４２で出力画像の明るさを落とす等の省電力制御を行った場合には、録画される画像も暗くなってしまうため、ここではメイン表示部１３の駆動回路を制御し、すなわちＬＣＤ駆動の段階で省電力制御を行うこととした。このことにより、閉状態であっても録画維持のために互いの筐体で隠れてしまうメイン表示部１３に表示を継続する場合においても、少しでも消費電力を落とすことができるというだけでなく、互いの筐体間から漏れる光の量を低減させることができるためにユーザにメイン表示部１３が動作し続けていることを意識させずに済むという効果も得られる。
【００４８】
次に、同じく図６を用いて、主制御部３８が受話筐体２もしくは送話筐体３の側面に設置されるサイドキー（閉状態にて筐体に隠れないところに配置される露出キー）の押下を検出したときの処理を説明する。
すなわち、サイドキー押下が検出されると（ステップＳ６０５）、受話筐体２と送話筐体３とが閉状態にあるか否かを判定する（ステップＳ６０６）。閉状態にないと判定されると（ステップＳ６０６“Ｎｏ”）、通常のバックライトの強制点灯など、本来あてがわれている機能を実行する。そして、閉状態であると判断されると（ステップＳ６０６“Ｙｅｓ”）、さらにテレビ放送が録画中か否かがフラグの有無により判断され、テレビ放送を録画中でないときには（ステップＳ６０２“Ｎｏ”）、サブ表示部１４の表示を強制的に行う。すなわち、もしもサブ表示部１４の表示が省電力のためなどにより消えていれば、再度端末情報を表示記憶部３４３から読み出して描画制御部３４２が描画させる。そして、テレビ放送を録画中であるときには（ステップＳ６０２“Ｙｅｓ”）、サブ表示部１４への切り替えを行わず、メイン表示部１３による表示を継続する（ステップＳ６０３）。
このことにより、閉状態においてサイドキーが押圧されたときに、録画中か否かを判定せずにサブ表示部１４に表示を切り替えるようにしていた場合に生じる、次のような問題を回避することが出来る。すなわち、閉状態にてメイン表示部１３による表示を継続してテレビ放送の録画を行っていた場合に、サイドキー押圧にてサブ表示部１４へ表示をスタートさせる場合には、描画制御部３４２は、サブ表示部１４に表示すべき情報を別途主制御部３８から読み出して表示画像記憶部３４３に書き込まなければならないため、録画のために読み出すべきテレビ放送からの画像データが表示画像記憶部３４３から失われてしまい、サイドキー押圧前と同様な録画の継続ができなくなってしまうという問題を回避できる。
また、このときに、メイン表示部１３による表示について、バックライトを消灯するなどして省電力状態に設定すれば、少しでも消費電力を落とすことができるというだけではなく、互いの筐体間から漏れる光の量を低減させ、ユーザに余計な意識をさせずに済むという効果も得られる。
【００４９】
以上説明のように、本発明の実施の形態によれば、主制御部３８が、受話筐体２と送話筐体３が閉状態にあっても、録画中であれば表示切替えを行わないように制御することで、折り畳み筐体を持つ携帯端末装置の録画動作を継続して行うことができる。
また、録画動作中、メイン表示部１３による表示を省電力モードに設定することで消費電力が抑えられ、特に、バックライトは録画に関係ないため消灯することで顕著な効果が得られる。
【００５０】
なお、主制御部３８は、具体的には、ＣＰＵおよびメモリによって構成され、ＣＰＵがメモリに記録されたプログラムを逐次読み出し実行することにより周辺ＬＳＩを制御し、このことにより、受話筐体２と送話筐体３が閉状態にあるとき、テレビ放送の録画中を除き、画像表示制御部３４による画像の表示をメイン表示部１３からサブ表示部１４への切替え制御を実行するものである。
【００５１】
また、ここでいう、周辺ＬＳＩとは、受話筐体２に実装される、メイン表示部１３、サブ表示部１４、そして、送話筐体３の回路基板３０に実装される、ＴＶチューナ３２、画像復号部３３、画像表示制御部３４、通信処理部３６、音声処理部３７、キー入力処理部３９をいい、これらはいずれも図示せぬ入力ポート、あるいは出力ポートを介して主制御部３８に接続されるものである。
【００５２】
以上、この発明の実施の形態につき図面を参照して詳述したが、具体的な構成はこの実施の形態に限られるものではなく、この発明の要旨を逸脱しない範囲の設計等も含まれる。
本発明における携帯端末装置の一例として携帯電話機を用いて説明を行ったが、これに限定されることはなく、ＰＤＡ（Personal Digital Assistance）、ＰＨＳ（Personal Happy phone system）やポータブル機やナビゲーションシステムにおいても適用可能であることは言うまでもない。
【図面の簡単な説明】
【００５３】
【図１】本発明の実施の形態に係る携帯端末装置の外観構造を示す図である。
【図２】本発明の実施の形態に係る携帯端末装置の外観構造を示す図である。
【図３】本発明の実施の形態に係る携帯端末装置の外観構造を示す図である。
【図４】図１に示す本発明の実施の形態に係る携帯端末装置の信号処理系の構成の一例を示すブロック図である。
【図５】図４に示す画像表示制御部３４の内部構成の一例を示す図である。
【図６】本発明の実施の形態に係る携帯端末装置の動作を説明するために引用したフローチャートである。
【符号の説明】
【００５４】
１…携帯端末装置、２…受話筐体（第１の筐体）、３…送話筐体（第２の筐体）、１３…メイン表示部（第１の表示部）、１４…サブ表示部（第２の表示部）、３２…ＴＶチューナ、３３…画像復号部、３４…画像表示制御部、３８…主制御部、３９…キー入力処理部、４０…メモリ、３４１…画像入力取得部、３４２…描画制御部、３４３…メイン表示画像記憶部、３４４…サブ表示画像記憶部、３４５…画像符号化部、３４６…表示制御部。
【図１】
0004593522.tif 000002
【図２】
0004593522.tif 000003
【図３】
0004593522.tif 000004
【図４】
0004593522.tif 000005
【図５】
0004593522.tif 000006
【図６】
0004593522.tif 000007